(57)【要約】【課題】  本発明は、ハウジング、光源、ランプヘッド肩部及びランプヘッドを有する懐中電灯に関する。可能な限り少ない個別構成要素から組み立てられていて、コンパクトに構成されていて、同時に信頼性の高い機能性を提供する懐中電灯を提供するため、前記光源をディスクホルダ上に配置することが本発明により提唱されている。【解決手段】  熱伝導可能な面が、前記ホルダ上の一部に形成されている。この場合、このディスクホルダは、前記ハウジングと前記ランプヘッド肩部との間に一体的に支承されている。【選択図】  図１ｂ
2012028325.tif 000002
【特許請求の範囲】
【請求項１】
ハウジング（２）、光源（９）、ランプヘッド肩部（５）及びランプヘッド（６）を有する懐中電灯において、
前記光源（１）は、ディスクホルダ（８）上に配置されていて、熱伝導可能な面（２１，２１′，２１″）が、前記ホルダ（８）上の一部に形成されていて、このディスクホルダ（８）は、前記ハウジング（２）と前記ランプヘッド肩部（５）との間に一体的に支承されていることを特徴とする懐中電灯。
【請求項２】
前記光源（９）は、発光ダイオード（ＬＥＤ）であることを特徴とする請求項１に記載の懐中電灯。
【請求項３】
前記ディスクホルダ（８）は、そのハウジング側に円形及び／又はリング状の同心に配置された複数の電気接触面（２０，２０′）を有することを特徴とする請求項１又は２に記載の懐中電灯。
【請求項４】
前記ディスクホルダは、そのハウジング側に熱伝導可能なリング状当接面（２１，２１′，２１″）を有し、このリング状当接面は、取り付けられた状態で前記ハウジングに当接していることを特徴とする請求項１〜３のいずれか１項に記載の懐中電灯。
【請求項５】
前記ホルダ（８）を一体的に支承するため、前記ランプヘッド肩部（５）及び前記ハウジング（２）はそれぞれ、１つのストッパ（１０，１０′）を有し、一緒に組み立てられた状態にある前記ディスクホルダ（８）が、このストッパ（１０）とこのストッパ（１０′）との間に配置されていることを特徴とする請求項１〜４のいずれか１項に記載の懐中電灯。
【請求項６】
前記ディスクホルダ（８）は、熱伝導可能な面（２１″）として形成されたジャケット面を有し、このジャケット面は、取り付けられた状態で前記ハウジング（２）のジャケット状の部分領域に当接していることを特徴とする請求項１〜５のいずれか１項に記載の懐中電灯。
【請求項７】
前記ディスクホルダ（８）は、そのランプヘッド側に熱伝導可能な面（２１′）を有し、これらの面（２１′）は、取り付けられた状態で前記ランプヘッド肩部（５）の前記当接面（１０′）に接合されていることを特徴とする請求項１〜６のいずれか１項に記載の懐中電灯。
【請求項８】
ランプヘッド肩部（５）とハウジング（２）とが、ねじ接続によって互いに結合されていることを特徴とする請求項１〜７のいずれか１項に記載の懐中電灯。
【請求項９】
前記ランプヘッド（６）及び前記ランプヘッド肩部（５）はそれぞれ、１つの対応するねじ溝を有する結果、このランプヘッド（６）とこのランプヘッド肩部（５）とが、ねじ接続によって結合されていることを特徴とする請求項１〜８のいずれか１項に記載の懐中電灯。
【請求項１０】
前記ランプヘッド肩部（５）及び前記ランプヘッド（６）は、一体に形成されていることを特徴とする請求項１〜９のいずれか１項に記載の懐中電灯。
【発明の詳細な説明】
【技術分野】
【０００１】
本発明は、ハウジング、光源、ランプヘッド肩部及びランプヘッドを有する懐中電灯に関する。
【背景技術】
【０００２】
最近では、多様な形態及び多様な構造の懐中電灯が、従来の技術により公知である。この場合、これらの懐中電灯は、多くの場合に複数の個々の構成要素を有する。これらの構成要素は、作業中に苦労してそれ故に高い工賃を伴って組み立てられる必要がある。このため、高い生産コストが生じる。当該生産コストは、多数の異なる構成要素に起因して比較的高い。
【０００３】
特定の構成要素が、異なる機能を懐中電灯内で平行して請け負う必要があるので、確かに、個々の構成要素の削減は、懐中電灯の持続する機能性及び耐久性の負担になる。
【先行技術文献】
【特許文献】
【０００４】
【特許文献１】米国特許第６，３９８，３８３号明細書
【特許文献２】米国特許第７，１２１，６７７号明細書
【特許文献３】米国特許第５，３０９，３３７号明細書
【発明の開示】
【発明が解決しようとする課題】
【０００５】
本発明の課題は、可能な限り少ない個別構成要素から組み立てられていて、コンパクトに構成されていて、同時に信頼性の高い機能性を提供する懐中電灯を提供することにある。
【課題を解決するための手段】
【０００６】
この課題は、請求項１に記載の懐中電灯によって解決される。当該懐中電灯の場合、光源が、本発明にしたがってディスクホルダ上に配置されている。熱伝導可能な面が、当該ホルダ上の一部に形成されている。この場合、このディスクホルダは、ハウジングとランプヘッド肩部との間に一体的に支承されている。したがって、規格品のほかは、すなわち端部キャップ及びバッテリーカートリッジを有するハウジング並びにランプヘッド肩部以外は、信頼性の高い機能性を有する懐中電灯を組み立てるためのその他の構成部品はもはや必要でない。特に、追加の構成要素が省略され得る。これによって、光源を有するディスクホルダが、ハウジングに結合される。
【０００７】
本発明のその他の好適な実施の形態は、以下及び従属請求項に記載されている。特に、発光ダイオード（ＬＥＤ）が、光源として使用される。この発光ダイオードは、高い発光効率にもかかわらず、放熱が比較的少ない。さらに、ＬＥＤの寿命が、従来の電球と比較して長い。
【０００８】
本発明の好適な構成によれば、ディスクホルダが、そのハウジング側に円形及び／又はリング状の同心に配置された複数の電気接触面を有する。これらの電気接触面の当該構造は、特にバッテリがバッテリーカートリッジ内に配置されている懐中電灯に対して適している。何故なら、当該バッテリーカートリッジが、その正しい位置から傾いても影響されずに常に当該電気接触面に接合されているからである。バッテリーカートリッジとディスクホルダとの間の電気接触が保持されていることが保証されている場合は、確かに、当該構造は省略され得る。当該省略は、例えばバッテリーカートリッジをハウジング側の溝に沿って差し込むことによって実現され得る。
【０００９】
特にディスクホルダは、そのハウジング側に熱伝導可能なリング状当接面を有する。このリング状当接面は、取り付けられた状態でハウジングに当接している。この熱伝導可能な当接面の当該構造に起因して、熱が、ハウジングに効率的に放出されることによって、当該ホルダの全体が冷却される。その結果、使用される光源の耐久性が向上する。このため、特にアルミニウム、黄銅又は銅が、好適な材料として適している。
【００１０】
確かに、ハウジング側の当該当接面だけが熱伝導性に形成されなくてもよい。ホルダの冷却をさらに向上させるため、ディスクホルダが、熱伝導可能な面として形成されたジャケット面を有することが好適に提唱されている。このジャケット面は、取り付けられた状態でハウジングのジャケット状の部分領域に当接している。さらに、当該ディスクホルダは、そのランプヘッド側に熱伝導可能な面を有する。これらの面は、取り付けられた状態でランプヘッド肩部の当接面に接合されている。
【００１１】
ホルダを懐中電灯内に確実に保持するため、ランプヘッド肩部及びハウジングがそれぞれ、１つのストッパを有して、当該ホルダを一体的に支承する。一緒に組み立てられた状態にある当該ディスクホルダが、このストッパとこのストッパとの間に配置されている。ＬＥＤで発生する熱が最適に放出され得るように、対応する当接面が熱伝導可能に形成されている。
【００１２】
特にランプヘッド肩部とハウジングとが、ねじ接続によって互いに結合されている。当該ねじ接続は、比較的丈夫に且つ同時に簡単に実施することができる。さらに、ランプヘッドとランプヘッド肩部とが、同様にねじ接続によって結合されている。このため、このランプヘッド及びこのランプヘッド肩部はそれぞれ、１つの対応するねじ溝を有する。必要に応じて取り付けられた反射レンズが、このランプヘッドとこのランプヘッド肩部との間に取り付けられ得る。その結果、この反射レンズは、このランプヘッド及びこのランプヘッド肩部から脱落しないように保持される。この代わりに、反射レンズが、固有のねじ溝を有してもよい。その結果、反射レンズは、ランプヘッド内にねじ留めされ得る。これによって、ランプヘッドが直接的にも、ハウジング上にねじ留めされ得る。これによって、使用される構成部品の数が、ランプヘッド肩部の構成部品だけ減る。その結果、さらなる組立経費が節減される。明らかに、反射レンズが、独立したホルダによってランプヘッド内に固定されてもよい。この独立したホルダは、例えば対応する外ねじを有するシリンダでもよい。
【００１３】
このような構造の場合、当該ランプヘッド及び当該ランプヘッド肩部は一体に形成されている。
【発明を実施するための最良の形態】
【００１４】
以下に、本発明の具体的な実施の形態を図面に基づいて説明する。
【００１５】
本発明の具体的な実施の形態によれば、懐中電灯１が、ハウジング２から構成される。このハウジング２は、バッテリーカートリッジ３、端部キャップ４、ランプヘッド肩部５、ランプヘッド６、このランプヘッド肩部５とこのランプヘッド６との間に配置された反射レンズ７及び最後にホルダ８を有する。ＬＥＤ９が、このホルダ８上に取り付け可能である。
【００１６】
図１ａは、このような懐中電灯１を展開して示す。一緒に組み立てられた状態（図１ｂ）では、ホルダ８が、ハウジング２とランプヘッド肩部５との間に一体的に保持されている。このため、ストッパ１０，１０′が、ハウジング２に沿って及びランプヘッド肩部５内に１つずつ形成されている。その結果、両ストッパ１０，１０′は、当該ホルダに当接している。図示された実施の形態（図１ａ，ｂ）では、ランプヘッド６及びランプヘッド肩部５が、２つの部分に形成されている。この場合、反射レンズ７が、このランプヘッド６とこのランプヘッド肩部５との間に配置されている。
【００１７】
バッテリーカートリッジ３内のバッテリとディスクホルダ８との間の最適な電気接触を保証するため、このホルダ８は、ハウジング側に、すなわち取り付けられた状態にあるハウジングに面している面上に同心円の複数の電気接触面２０，２１′を有する。当該図示された実施の形態では、電気接触面２０′が、円形に形成されていて且つホルダ８の中央に配置されている。もう１つの電気接触面２０がリング状に形成されている。さらに、ホルダ８は、ハウジング側に熱伝導可能な第１接触面を有する。この第１接触面は、取り付けられた状態でハウジングの接触面１０に接合されている。さらに、ランプヘッド側にも、熱伝導可能な当接面２１′が形成されている。この熱伝導可能な当接面２１′は、ランプヘッド肩部５の当接面１０′に接合されている。最後に、放熱をさらに増大させるため、熱伝導性のジャケット状当接面２１″が設けられている。以上により、最適な放熱が、配置されたこれらの熱伝導可能な３つの面によって提供される。このことは、ＬＥＤの耐久性を何倍も向上させる。
【図面の簡単な説明】
【００１８】
【図１ａ】懐中電灯の展開図である。
【図１ｂ】一緒に組み立てられた状態の懐中電灯を示す。
【図２ａ】ホルダの背面図である。
【図２ｂ】ディスクホルダの横断面図である。
【符号の説明】
【００１９】
１  光源
２  ハウジング
３  バッテリーカートリッジ
４  端部キャップ
５  ランプヘッド肩部
６  ランプヘッド
７  反射レンズ
８  ホルダ
９  ＬＥＤ
１０  接触面
１０′  当接面
２０  電気接触面
２０′  電気接触面
２１  熱伝導可能な当接面
２１′  熱伝導可能な当接面
２１″  熱伝導性のジャケット状当接面
【図１ａ】
2012028325.tif 000003
【図１ｂ】
2012028325.tif 000004
【図２ａ】
2012028325.tif 000005
【図２ｂ】
2012028325.tif 000006